【手続補正書】
【提出日】平成24年11月15日(2012.11.15)
【手続補正１】
【補正対象書類名】特許請求の範囲
【補正対象項目名】全文
【補正方法】変更
【補正の内容】
【特許請求の範囲】
【請求項１】
音声信号処理装置であって、
前記装置に内蔵された内蔵集音手段と、
前記装置に外部集音手段を接続する接続手段と、
前記接続手段を介して入力された音声信号または、前記内蔵集音手段により得られた音声信号を記録媒体に記録する記録手段と、
制御手段とを有し、
前記接続手段を介して入力された音声信号を記録しているときに、前記外部集音手段が接続状態でなくなったことに応じて、
前記制御手段は、前記接続状態でなくなった前記外部集音手段の種類が第１の種類の集音手段である場合は、前記内蔵集音手段により得られた音声信号を記録するように前記記録手段を制御し、
前記制御手段は、前記接続状態でなくなった前記外部集音手段の種類が第２の種類の集音手段である場合は、前記内蔵集音手段により得られた音声信号を記録しないように前記記録手段を制御することを特徴とする音声信号処理装置。
【請求項２】
音声信号処理装置であって、
前記装置に内蔵された内蔵集音手段と、
前記装置に外部集音手段を接続する接続手段と、
前記接続手段を介して入力された音声信号または、前記内蔵集音手段により得られた音声信号を記録媒体に記録する記録手段と、
制御手段とを有し、
前記接続手段を介して入力された音声信号を記録しているときに、前記外部集音手段が接続状態でなくなったことに応じて、
前記制御手段は、前記接続状態でなくなった前記外部集音手段の種類が第１の種類の集音手段である場合は、前記内蔵集音手段により得られた音声信号を記録するように前記記録手段を制御し、
前記制御手段は、前記接続状態でなくなった前記外部集音手段の種類が第２の種類の集音手段である場合は、記録を一時停止するように前記記録手段を制御することを特徴とする音声信号処理装置。
【請求項３】
所定の警告を報知する報知手段を有し、
前記制御手段は、前記接続手段を介して入力された音声信号を記録しているときに、前記外部集音手段が接続状態でなくなったことに応じて、前記所定の警告を報知するように前記報知手段を制御することを特徴とする請求項１または２記載の音声信号処理装置。
【請求項４】
前記制御手段は、前記接続状態でなくなった前記外部集音手段の種類が第１の種類の集音手段でない場合は、前記所定の警告を報知するように前記報知手段を制御することを特徴とする請求項３記載の音声信号処理装置。
【請求項５】
前記制御手段は、前記接続状態でなくなった前記外部集音手段の種類が第１の種類の集音手段である場合は、前記所定の警告とは異なる警告を報知するように前記報知手段を制御することを特徴とする請求項４記載の音声信号処理装置。
【請求項６】
前記所定の警告とは異なる警告は、前記内蔵集音手段により得られた音声信号を記録する旨を報知する警告であることを特徴とする請求項５記載の音声信号処理装置。
【請求項７】
前記所定の警告は、音声信号が記録できない旨を報知する警告であることを特徴とする請求項３から６のいずれか１項に記載の音声信号処理装置。
【請求項８】
前記第１の種類の集音手段は、前記内蔵集音手段と同じチャンネル数の音声信号を得るための集音手段であることを特徴とする請求項１から７のいずれか１項に記載の音声信号処理装置。
【請求項９】
前記第２の種類の集音手段は、前記内蔵集音手段と異なるチャンネル数の音声信号を得るための集音手段であることを特徴とする請求項１から８のいずれか１項に記載の音声信号処理装置。
【請求項１０】
前記第２の種類の集音手段は、２チャンネル以上の音声信号を得るための集音手段であることを特徴とする請求項１から９のいずれか１項に記載の音声信号処理装置。
【請求項１１】
撮像手段を有し、
前記記録手段は、前記撮像手段により得られた画像を前記音声信号と共に前記記録媒体に記録することを特徴とする請求項１から１０のいずれか１項に記載の音声信号処理装置。
【請求項１２】
前記接続手段に接続された前記外部集音手段の種類を判定する判定手段を有することを特徴とする請求項１から１１のいずれか１項に記載の音声信号処理装置。
【請求項１３】
前記接続手段に前記外部集音手段が接続されているか否かを判定するスイッチを有することを特徴とする請求項１から１２のいずれか１項に記載の音声信号処理装置。
【請求項１４】
前記接続手段を介して入力された音声信号を記録しているときに、前記外部集音手段が接続状態でなくなったことに応じて、
前記制御手段は、前記接続状態でなくなった前記外部集音手段の種類が第２の種類の集音手段である場合は、前記外部集音手段の接続がなくなったことを示すメタデータを前記音声信号と共に記録媒体に記録することを特徴とする請求項１から１３のいずれか１項に記載の音声信号処理装置。
【請求項１５】
前記制御手段は、前記接続状態でなくなった前記外部集音手段の種類が第２の種類の集音手段である場合は、記録を一時停止し、記録対象の音声信号を前記内蔵集音手段により得られた音声信号に変更したのちに記録を再開するように前記記録手段を制御することを特徴とする請求項１から１４のいずれか１項に記載の音声信号処理装置。
【請求項１６】
前記内蔵集音手段により得られた音声信号を記録しているときに、前記外部集音手段が接続状態になったことに応じて、
前記制御手段は、前記接続状態になった前記外部集音手段の種類が第１の種類の集音手段である場合は、前記外部集音手段により得られた音声信号を記録するように前記記録手段を制御し、
前記制御手段は、前記接続状態になった前記外部集音手段の種類が第２の種類の集音手段である場合は、前記外部集音手段により得られた音声信号を記録しないように前記記録手段を制御することを特徴とする請求項１から１５のいずれか１項に記載の音声信号処理装置。
【請求項１７】
音声信号処理装置であって、
前記装置に内蔵された内蔵集音手段と、
前記装置に外部集音手段を接続する接続手段と、
前記接続手段を介して入力された音声信号または、前記内蔵集音手段により得られた音声信号を記録媒体に記録する記録手段と、
制御手段とを有し、
前記内蔵集音手段により得られた音声信号を記録しているときに、前記外部集音手段が接続状態になったことに応じて、
前記制御手段は、前記接続状態になった前記外部集音手段の種類が第１の種類の集音手段である場合は、前記外部集音手段により得られた音声信号を記録するように前記記録手段を制御し、
前記制御手段は、前記接続状態になった前記外部集音手段の種類が第２の種類の集音手段である場合は、前記外部集音手段により得られた音声信号を記録しないように前記記録手段を制御することを特徴とする音声信号処理装置。
【請求項１８】
所定の警告を報知する報知手段を有し、
前記制御手段は、前記内蔵集音手段により得られた音声信号を記録しているときに、前記外部集音手段が接続状態になったことに応じて、前記所定の警告を報知するように前記報知手段を制御することを特徴とする請求項１７記載の音声信号処理装置。
【請求項１９】
前記制御手段は、前記接続状態になった前記外部集音手段の種類が第１の種類の集音手段でない場合は、前記所定の警告を報知するように前記報知手段を制御することを特徴とする請求項１８記載の音声信号処理装置。
【請求項２０】
前記制御手段は、前記接続状態でなくなった前記外部集音手段の種類が第１の種類の集音手段である場合は、前記所定の警告とは異なる警告を報知するように前記報知手段を制御することを特徴とする請求項１９記載の音声信号処理装置。
【請求項２１】
前記第１の種類の集音手段は、前記内蔵集音手段と同じチャンネル数の音声信号を得るための集音手段であることを特徴とする請求項１７から２０のいずれか１項に記載の音声信号処理装置。
【手続補正２】
【補正対象書類名】明細書
【補正対象項目名】０００８
【補正方法】変更
【補正の内容】
【０００８】
本発明の音声信号処理装置はかかる目的を達成するために、音声信号処理装置であって、前記装置に内蔵された内蔵集音手段と、前記装置に外部集音手段を接続する接続手段と、前記接続手段を介して入力された音声信号または、前記内蔵集音手段により得られた音声信号を記録媒体に記録する記録手段と、制御手段とを有し、前記接続手段を介して入力された音声信号を記録しているときに、前記外部集音手段が接続状態でなくなったことに応じて、前記制御手段は、前記接続状態でなくなった前記外部集音手段の種類が第１の種類の集音手段である場合は、前記内蔵集音手段により得られた音声信号を記録するように前記記録手段を制御し、前記制御手段は、前記接続状態でなくなった前記外部集音手段の種類が第２の種類の集音手段である場合は、前記内蔵集音手段により得られた音声信号を記録しないように前記記録手段を制御することを特徴とする構成とした。